(57)【要約】【課題】縁石や段差等の乗越し時においてタイヤが大きく変形する場合でも、カーカスカットのダメージを受けるのを防止できるパンク防止性能の高い空気入りタイヤを提供する。【解決手段】空気入りタイヤにおいて、タイヤ本体１の内面側にゴムで形成された複数列のジャバラ状のリブ２を周方向に連続して設けて構成する。【選択図】  図１
2005014808.tif 000002
【特許請求の範囲】
【請求項１】
タイヤ本体の内面側にゴムで形成された複数列のジャバラ状のリブを周方向に連続して設けた空気入りタイヤ。
【請求項２】
前記リブをタイヤショルダー部からサイド部に相当するタイヤ内面に配置した請求項１記載の空気入りタイヤ。
【請求項３】
前記リブの断面形状が円形又は矩形である請求項１又は請求項２記載の空気入りタイヤ。
【請求項４】
前記リブの中心間距離が８ｍｍ〜２０ｍｍで、かつ、高さが４ｍｍ〜８ｍｍである請求項１乃至請求項３のいずれか１項に記載の空気入りタイヤ。
【請求項５】
前記空気入りタイヤが偏平率６０％以下の低偏平タイヤである請求項１乃至請求項４のいずれか１項に記載の空気入りタイヤ。
【発明の詳細な説明】
【０００１】
【発明の属する技術分野】
本発明は、空気入りタイヤに関し、更に詳しくは、縁石等を乗り越す際に発生するタイヤサイド部のカーカスカットを効果的に防止できるタイヤ構造を有する空気入りタイヤに関するものである。
【０００２】
【従来の技術】
近年、空気入りタイヤは、運動性能向上を目的として偏平率化が進んでいる。しかし、空気入りタイヤの低偏平化が進むにつれ、縁石等を乗り越す際にタイヤのカーカスカットが発生し易くなることが指摘されるようになってきている。
【０００３】
つまり、図３に示すように偏平率の低い空気入りタイヤ１０Ｘが縁石２０を乗越す時に、タイヤ１０Ｘのサイド部のうち、特にショルダー部からサイド部が著しくたわみ、このたわんだ部分が、リムフランジ５と縁石２０に挟まれて、タイヤ内部のカーカスまでが押し切られるカーカスカットが発生する。
【０００４】
そして、この縁石等を乗り越す際のカーカスカットに対して、従来技術のタイヤでは、有効に対処することができず、パンクを完全に防ぐことは難しいという状況にある。
【０００５】
例えば、農業機械用タイヤではあるが、リム組みされたタイヤが荷重変形することによって相互に接触するリムのフランジ部の頂点付近のビード部内面およびトレッド部内面の少なくともどちらか一方に円周方向に沿って補強リブを配置して、タイヤが荷重変形した場合にタイヤのビード部およびトレッド部の近傍のゴムおよびコードが摩滅したり、破損したりすることがなくタイヤの耐久性が向上するタイヤが提案されている（例えば、特許文献１参照。）。
【０００６】
しかし、この技術は零内圧または極低内圧で使用され、通常カーカスプライ、ブレーカープライ等の補強コードによって補強されず、ゴムだけで形成されている農業機械用タイヤに対するものであり、また、補強リブがタイヤのビード部およびトレッド部に配置されているため、空気入りタイヤのショルダー部からサイド部におけるカーカスカットに対する有効な防止策とはならない。
【０００７】
【特許文献１】
特開昭５４−８３０２号公報（第１−３頁、第１図）
【０００８】
【発明が解決しようとする課題】
そのため、このカーカスカット防止対策として、タイヤショルダー部からサイド部の肉厚を厚くすることや、補強層を追設する方法が考えられるが、タイヤの走行性能の低下、重量アップとの兼ね合いの点から限界があるため、有効な手段にはならないという問題がある。
【０００９】
本発明は、上記の問題を解決するためになされたものであり、その目的は、低偏平率タイヤであっても、縁石や段差等の乗越し時において発生し易いカーカスカットを防止できるパンク防止性能の高い空気入りタイヤを提供することにある。
【００１０】
【課題を解決するための手段】
上記目的を達成するための本発明の空気入りタイヤは、タイヤ本体の内面側にゴムで形成された複数列のジャバラ状のリブを周方向に連続して設けて構成される。
【００１１】
この複数列のジャバラ状のリブはカーカスカット防止用のリブであり、周方向に連続して設置され、タイヤが縁石等に乗り上げた際等に、タイヤショルダー部及びサイド部が著しくたわんで縁石とリムフランジの間に挟まれた時に、この複数列のリブがクッションの役割を果たし、また、このリブが介在することにより、縁石とリムフランジ挟まれる部分の距離を大きくして極度の屈折を防止し、カーカスカットの発生を防止する。
【００１２】
複数列のジャバラ状のリブはタイヤショルダー部からサイド部に相当するタイヤ内面に配置することが好ましい。つまり、ベルト幅の７５％位置からタイヤショルダー部からサイド部位置の範囲内のタイヤ内面に配置される。この配置が最もカーカスカット防止に有効となる。
【００１３】
また、前記リブの断面形状は円形又は矩形で構成される。この断面形状にすることにより、製造がより容易となる。
【００１４】
また、前記リブの中心間距離は８ｍｍ〜２０ｍｍで、かつ、高さを４ｍｍ〜８ｍｍとする。この構成により、カーカスカット防止効果と質量増加のバランスが良くなる。
【００１５】
つまり、ジャバラ状リブの本数が少なく、この中心間距離が広すぎたり、若しくは、リブの高さが低すぎると、カーカスカットを防止することができず、中心間距離が狭すぎたり、若しくは、リブの高さが高すぎると、質量の増加が大きくなり過ぎてしまう。
【００１６】
また、この縁石や段差乗り上げによるタイヤサイド部のカーカスカットの防止は、特に、偏平率６０％以下の低偏平タイヤである場合に、特に効果を奏することができる。
【００１７】
【発明の実施の形態】
以下、本発明に係る実施の形態の空気入りタイヤについて、図面を参照しながら説明する。
【００１８】
図１は、本発明の空気入りタイヤ１０の一例を示す断面図であり、図中の１はトレッド部、２はジャバラ状のリブ、３はショルダー部、４はサイド部である。
【００１９】
この空気入りタイヤ１０は、図１に示すように、タイヤ本体のタイヤショルダー部３からサイド部４に相当する内面側に、複数本（図１では６本）のジャバラ状のリブ２を設けて構成される。このリブ２はゴムから形成され、このリブ２の断面は図１では中実の円形形状であるが、クッション効果を発揮する形状であれば、矩形やその他の形状で形成してもよい。
【００２０】
また、このリブ２の中心間距離ａは８ｍｍ〜２０ｍｍの範囲で、リブの高さｈは４ｍｍ〜８ｍｍの範囲で形成され、また、リブの幅ｂは４ｍｍ〜８ｍｍの範囲で形成されることが好ましい。
【００２１】
このリブ２は、図２に示すように、空気入りタイヤ１０が、縁石２０に乗り上げる時に、クッションの役割を果たすので、タイヤサイド部のカーカスカットを防止することができる。
【００２２】
この縁石乗り上げは一瞬であるので、このリブ２のクッション効果により、空気入りタイヤ１０のサイド部のダメージを完全に防止できなくても、パンクには至らないようにすることができる。
【００２３】
つまり、タイヤショルダー部３からサイド部４にかけて内面にリブ２を設けたことにより、縁石乗り越し等でサイド部が大きく変形してホイールのリムフランジ５でタイヤサイド部のカーカスを押し切ってしまうことを防止することができ、パンクレスタイヤとしての機能をより高めることが可能となる。
【００２４】
本発明は空気入りタイヤ一般に適用できるが、特に、偏平率６０％以下の低偏平タイヤに適用する場合に効果が顕著である。
【００２５】
〔実施例〕
タイヤサイズが２１５／４５ＺＲ１７、リムが１７×７ＪＪ（アルミ）、空気圧１２０ｋＰａを共通条件とし、タイヤ構造を下記のように異ならせた従来例、比較例、実施例の３種の供試タイヤについて、進入速度を１５ｋｍ／ｈから２．５ｋｍ／ｈ毎に増加させて縁石に進入し、供試タイヤにカーカスカットが発生する速度を測定した。
【００２６】
従来例タイヤは、タイヤ内面に特に何も配置しないタイヤであり、比較例タイヤは、図４に示すように、タイヤ内面に厚さ５ｍｍで、幅５０ｍｍのゴム層７を設置したタイヤである。また、実施例タイヤは、図１に示すように、タイヤ内面のショルダー部３からサイド部４までの範囲に高さ５ｍｍ，中心間距離１２ｍｍの半円断面のリブ２を６本設けたタイヤである。
【００２７】
この評価実験の結果を表１に示すが、従来例タイヤが速度２２．５ｋｍ／ｈでカーカスカットを発生したのに対して、比較例タイヤは３２．５ｋｍ／ｈ、実施例タイヤは３２．５ｋｍ／ｈであり、従来例に比べて比較例と実施例がカーカスカットに対する防止効果が大きいことが分かった。
【００２８】
また、各供試タイヤの重量（指数：数値が小さい方が重い）は逆数で評価し、従来例を１００とする時の指数で示した。比較例タイヤが９４であるのに対して、実施例タイヤが９６となり、重量が軽い分だけ、比較例タイヤよりも運動性能に優れている。
【００２９】
【表１】
2005014808.tif 000003
【００３０】
【発明の効果】
以上に説明したように、本発明によれば、空気入りタイヤにおいて、タイヤ本体の内面側に、特に、タイヤショルダー部からサイド部の範囲に、ゴム層で形成された複数列のジャバラ状のリブを設けたので、縁石等を乗り越える際にリムフランジと縁石に挟まれて発生するカーカスカットをタイヤ外観を損なうことなく、効果的に防止することができる。
【００３１】
しかも、ジャバラ状のリブであるため、質量の増加を抑制でき、軽量で運動性能に優れた空気入りタイヤを提供できる。
【図面の簡単な説明】
【図１】本発明の実施の形態の空気入りタイヤを示す断面図である。
【図２】図１の空気入りタイヤが、縁石を乗り越える状態を示す断面図である。
【図３】従来のタイヤが、縁石を乗り越える状態を示す断面図である。
【図４】比較例の空気入りタイヤを示す断面図である。
【符号の説明】
１    タイヤ本体
２    ジャバラ状のリブ
３    ショルダー部
４    サイド部
５    リムフランジ
１０    空気入りタイヤ
２０    縁石
【図１】
2005014808.tif 000004
【図２】
2005014808.tif 000005
【図３】
2005014808.tif 000006
【図４】
2005014808.tif 000007